(57)【要約】【課題】クランプ式扉用ロックハンドル装置において締付け力を強化し、不正解錠に対する防護力を強化する。【解決手段】第１固定枢軸でレバーハンドルを本体ケースに枢着し、第１可動枢軸でレバーハンドルの駆動アームに連動リンクの前端部を枢着し、第１クランプ体と第２クランプ体をそれぞ第２固定枢軸と第３固定枢軸によって本体ケースに枢着し、扉前面に対して直角であって第１固定枢軸を通る動作基準線に関して、第２固定枢軸と第３固定枢軸を対称位置に配置し、前記動作基準線に沿って移動する第２可動枢軸で第１クランプ体の受動肩部と第２クランプ体の受動肩部を連動リンクの後端部に連結する。第１クランプ体の先端フック部が第１ストライクに係合し、第２クランプ体の先端フック部が第２ストライクに係合した扉施錠状態において、第１可動枢軸が前記動作基準線を第２固定枢軸側に越えた位置に来る。【選択図】図３
2006063673.tif 000002
【特許請求の範囲】
【請求項１】
固定枠体側に相互間に距離を置いて設けられる第１ストライク及び第２ストライクと；扉を閉鎖したとき第１ストライク及び第２ストライクと対面する位置において扉に固着される本体ケースと；前記本体ケースに収容され、扉前面と平行な第１固定枢軸によって本体ケースに枢着され、第１固定枢軸よりも先端側の部位に駆動アームを設けたレバーハンドルと；第１固定枢軸と平行な第１可動軸によって前端部を前記駆動アームの先端部に枢着された連動リンクと；第１固定枢軸と平行であって第１固定枢軸よりも斜め後方に配置した第２固定枢軸によって基端部を本体ケースに枢着され、本体ケースの背面側に突出した先端フック部が第１ストライクに係脱する第１クランプ体と；第１固定枢軸と平行であって第１固定枢軸よりも斜め後方に配置した第３固定枢軸によって基端部を本体ケースに枢着され、本体ケースの背面側に突出した先端フック部が第２ストライクに係脱する第２クランプ体とからなり、
扉前面に対して直角であって第１固定枢軸を通る動作基準線に関して第２固定枢軸と第３固定枢軸を対称位置に配置し、第１固定枢軸と平行であって前記動作基準線に沿って移動する第２可動枢軸によって第１クランプ体の受動肩部と第２クランプ体の受動肩部を前記連動リンクの後端部に連結し、第１クランプ体の先端フック部が第１ストライクに係合し、第２クランプ体の先端フック部が第２ストライクに係合した扉施錠状態において、第１可動枢軸が前記動作基準線を第２固定枢軸側に越えた位置に来る一方、第１クランプ体の先端フック部が第１ストライクから離脱し、第２クランプ体の先端フック部が第２ストライクから離脱した扉解錠状態において、第１可動枢軸が前記動作基準線を第３固定枢軸側に越えた位置に来るようにしたダブルクランプ式扉用ロックハンドル装置。
【発明の詳細な説明】
【技術分野】
【０００１】
本発明は、機器格納用キャビネット等において閉鎖状態の扉をキャビネット本体等の固定枠体に対して締付け錠止するクランプ式の扉用ロックハンドル装置に関するものである。
【背景技術】
【０００２】
扉を閉鎖したとき固定枠体側のストライクと対面する位置において扉に固着される本体ケースと；前記本体ケースに収容され、扉前面と平行な第１固定枢軸によって本体ケースに枢着され、第１固定枢軸よりも先端側の部位に駆動アームを設けたレバーハンドルと；第１固定枢軸と平行な第１可動軸によって前端部を前記駆動アームの先端部に枢着された連動リンクと；第１固定枢軸と平行であって第１固定枢軸よりも斜め後方に配置した第２固定枢軸によって基端部を扉背面側の固定ブラケットに枢着され、先端フック部が前記ストライクに係脱するクランプ体とからなり、第１固定枢軸と平行な第２可動枢軸によって前記クランプ体の受動肩部を前記連動リンクの後端部に連結し、前記クランプ体の先端フック部が前記ストライクに係合した扉施錠状態において、第１可動枢軸が第１固定枢軸と第２可動枢軸を結ぶ直線である動作基準線を扉前面側に越えた位置に来る一方、前記クランプ体の先端フック部が前記ストライクから離脱した扉解錠状態において、第１可動枢軸が前記動作基準線を扉背面側に越えた位置に来るようにしたクランプ式の扉用ロックハンドル装置は、既に知られている（特許文献１、特許文献２参照）。
【０００３】
この従来のクランプ式扉用ロックハンドル装置では、扉の締付け錠止は、上記ストライクとクランプ体の係合によって１箇所においてのみ行なわれているため、装着対象のキャビネットによっては必要十分な締付け力が得られないことがある。また、工具による抉じ開けといった近時の暴力破壊的な不正解錠に対しては、抵抗力が低いという難点がある。
【０００４】
【特許文献１】実公平５−３１１７８号公報
【特許文献２】特開２００３−３１８６０４号公報
【発明の開示】
【発明が解決しようとする課題】
【０００５】
本発明の課題は、クランプ式の扉用ロックハンドル装置において、締付け力を強化し、暴力破壊的な付勢解錠に対する防護力を強化することにある。
【課題を解決するための手段】
【０００６】
本発明の主たる特徴は、固定枠体側に相互間に距離を置いて設けられる第１ストライク及び第２ストライクと；扉を閉鎖したとき第１ストライク及び第２ストライクと対面する位置において扉に固着される本体ケースと；前記本体ケースに収容され、扉前面と平行な第１固定枢軸によって本体ケースに枢着され、第１固定枢軸よりも先端側の部位に駆動アームを設けたレバーハンドルと；第１固定枢軸と平行な第１可動軸によって前端部を前記駆動アームの先端部に枢着された連動リンクと；第１固定枢軸と平行であって第１固定枢軸よりも斜め後方に配置した第２固定枢軸によって基端部を本体ケースに枢着され、本体ケースの背面側に突出した先端フック部が第１ストライクに係脱する第１クランプ体と；第１固定枢軸と平行であって第１固定枢軸よりも斜め後方に配置した第３固定枢軸によって基端部を本体ケースに枢着され、本体ケースの背面側に突出した先端フック部が第２ストライクに係脱する第２クランプ体とからなり、
扉前面に対して直角であって第１固定枢軸を通る動作基準線に関して第２固定枢軸と第３固定枢軸を対称位置に配置し、第１固定枢軸と平行であって前記動作基準線に沿って移動する第２可動枢軸によって第１クランプ体の受動肩部と第２クランプ体の受動肩部を前記連動リンクの後端部に連結し、第１クランプ体の先端フック部が第１ストライクに係合し、第２クランプ体の先端フック部が第２ストライクに係合した扉施錠状態において、第１可動枢軸が前記動作基準線を第２固定枢軸側に越えた位置に来る一方、第１クランプ体の先端フック部が第１ストライクから離脱し、第２クランプ体の先端フック部が第２ストライクから離脱した扉解錠状態において、第１可動枢軸が前記動作基準線を第３固定枢軸側に越えた位置に来るようにしたことである。
【発明の効果】
【０００７】
本発明の扉用ロックハンドル装置では、第１クランプ体の先端フック部が第１ストライクに係合し、第２クランプ体の先端フック部が第２ストライクに係合した扉施錠状態においては、レバーハンドルは第１固定枢軸を中心に倒伏回転しており、レバーハンドルの主体部分が本体ケースに没入している。この施錠状態では、第１可動枢軸が前記動作基準線を第２固定枢軸側に越えた位置に来ているため、扉の締め付け錠止を解こうとする力は、締め付け錠止を維持する方向に転化されることになり、この自己締付機構によって扉の施錠状態は強固に維持される。
【０００８】
固定枠体に対する扉の締付け錠止は、第１クランプ体の先端フック部が第１ストライクに係合する一方、第２クランプ体の先端フック部が第２ストライクに係合することによって行なわれ、クランプ箇所が２箇所になっているため、クランプ箇所が１箇所だけである従来装置と比べて、格段に締付け力が強化される。固定枠体と扉の間にパッキング部材が介在するときには、当該パッキング部材を必要十分に圧縮するため、防止性の高い締め付けが的確に行なえる。
【０００９】
レバーハンドルを手前に引いて第１固定枢軸を中心に起立回転させたときには、第１可動枢軸が前記動作基準線を第３固定枢軸側に越えた位置に来て、第１クランプ体の先端フック部が第１ストライクから離脱する一方、第２クランプ体の先端フック部が第２ストライクから離脱するため、クランプ箇所が２箇所であっても、その解除操作は単一のレバーハンドルの回転操作によって同時になされ簡便である。
【００１０】
また、工具による抉じ開けに対しては、第１固定枢軸、第２固定枢軸、第２固定枢軸、第１可動枢軸及び第２可動枢軸が一緒になって抉じ開け力に抵抗するため、枢軸ピンの破断などによる暴力破壊的な不正解錠に対する防護力が増強されている。
【実施例】
【００１１】
図１から図４に示した実施例では、第１ストライク１と第２ストライク２は同一板部材３０に形成され、板部材３０は第１ストライク１を上方に配置し、第２ストライク２を下方に配置して、キャビネット本体である固定枠体３の開口部の囲壁部４に固着されている。本体ケース５は扉６の一側の端部に配置され、扉６の裏側からビス（図示していない）によって扉６に締め付け固着されている。上下対称に配置された第１クランプ体７と第２クランプ体８の各先端フック部は、扉６の端面壁部９と前記囲壁部４との間の空間１０に突出している。
【００１２】
第１固定枢軸１１は本体ケース５の左右側壁部１２とレバーハンドル１３を水平方向に横断しており、第２固定枢軸１４は本体ケース５の左右側壁部１２と第１クランプ体７を水平方向に横断しており、第３固定枢軸１５は本体ケース５の左右側壁部１２と第２クランプ体８を水平方向に横断している。本体ケース５の左右側壁部１２の内面側には、扉前面と直角方向に長いガイド用スロット１６が形成されており、この長さ方向の中心軸線は、第１固定枢軸１１を通る動作基準線Ｌに整列している。
【００１３】
第２可動枢軸１７の左右両端部は、ガイド用スロット１６に挿入されている。上方に配置された第１クランプ体７の基端部には、第２可動枢軸１７が挿通される連動用スロット１８を形成してある。第１可動枢軸１９は連動リンク２０とレバーハンドル１３の駆動アーム２１を水平方向に横断している。第１可動枢軸１９は、本体ケース５には何ら支持されていない。
【００１４】
本体ケース５の空洞部２２には、板バネ部材２３が垂直方向に取付けられており、板バネ部材２３の前面にはレバーハンドル１３の姿勢決定用肩部２４が当接している。この姿勢決定用肩部２４は第１固定枢軸１１に近接した部位に形成されており、図３に示したように扉施錠状態では前記動作基準線Ｌの上側、すなわち第２固定枢軸１４側の位置にて板バネ部材２３を押圧している。そのため、レバーハンドル１３には第１固定枢軸１１を中心として時計回り方向の回転モーメントが板バネ部材２３によって与えられ、レバーハンドル１３は本体ケース５に没入した倒伏姿勢に安定に保持される。
【００１５】
図４に示したように扉解錠状態では、前記姿勢決定用肩部２４は、前記動作基準線Ｌの下側、すなわち第３固定枢軸１５側の位置にて板バネ部材２３を押圧している。そのため、レバーハンドル１３には第１固定枢軸１１を中心として反時計回り方向の回転モーメントが板バネ部材２３によって与えられ、レバーハンドル１３は本体ケース５に突出した起立姿勢に安定に保持される。レバーハンドル１３の姿勢保持は、第１固定枢軸１１に捻りコイルバネのコイル部を嵌め、該バネの一方の直線端部を本体ケース５側に当接させ、他方の直線端部をレバーハンドル側に当接させることによって行なうこともできる。
【００１６】
レバーハンドル１３の駆動アーム２１は、レバーハンドル１３の主体部分と一体に形成されており、主体部分に対して斜めに配置されている。レバーハンドル１３の先端部には錠前ユニット２５が埋設されており、錠前ユニット２５のロータ２６に連動装備された止め金板２７は、本体ケース５の内壁面の錠止溝２８に係合することによって、本体ケース５からのレバーハンドル１３の引き出しを阻止する。
【００１７】
所定の鍵をロータ２６の鍵孔２９に挿入して、止め金板２７を解錠位置に移動させた後、図３において第１固定枢軸１１を中心にレバーハンドル１３を反時計回り方向に本体ケース５から引き出し回転させると、図４に示したように第１可動枢軸１９が前記動作基準線Ｌを下側に越え、これに付随して連動リンク２０の前端部が下側に牽引されて、第２可動枢軸１７が前記動作基準線Ｌに沿ってガイド用スロット１６内を前方に移動する。
【００１８】
この第２可動枢軸１７の前方移動によって、第２固定枢軸１４を中心として第１クランプ体７が反時計回り方向に回転する一方、第３固定枢軸１５を中心として第２クランプ体８が時計回り方向に回転することによって、第１クランプ体７の先端フック部が第１ストライク１から離脱し、第２クランプ体８の先端フック部が第２ストライク２から離脱する。これによって固定枠体３に対する扉６の締め付け錠止が解除され、扉６はレバーハンドル１３をそのまま手前に引くことによって開放される。
【００１９】
図５に示した別の実施例では、第１クランプ７の先端フック部の透孔３０に第１鎖錠ロッド３１を枢軸ピン３２によって連結し、第２クランプ８の先端フック部の透孔３３に第２鎖錠ロッド３４を枢軸ピン３５によって連結してある。第１鎖錠ロッド３１と第２鎖錠ロッド３４の先端部を固定枠体３側の受金部（図示していない）に直接係合させること、あるいは各鎖錠ロッドの先端部に接続したラッチ機構（図示していない）のラッチボルトを固定枠体側の受金部に係合させることによって、扉６の上下２箇所でも扉６を固定枠体３に錠止するようにしてある。図５では第１ストライク７と第ストライク８の図示は省略してある。
【図面の簡単な説明】
【００２０】
【図１】本発明の一実施例に係るダブルクランプ式扉用ロックハンドル装置を装着したキャビネットの正面図である。
【図２】図１の扉用ロックハンドル装置の平面図である。
【図３】図１の扉用ロックハンドル装置の縦断面図であり、扉施錠状態を示している。
【図４】図１の扉用ロックハンドル装置の縦断面図であり、扉解錠状態を示している。
【図５】本発明の別の実施例に係るダブルクランプ式扉用ロックハンドル装置を装着したキャビネットの縦断面図である。
【符号の説明】
【００２１】
１    第１ストライク
２    第２ストライク
３    固定枠体
４    開口部の囲壁部
５    本体ケース
６    扉
７    第１クランプ体
８    第２クランプ体
９    扉の端面壁部
１０  空間
１１  第１固定枢軸
１２  本体ケースの左右側壁部
１３  レバーハンドル
１４  第２固定枢軸
１５  第３固定枢軸
１６  ガイド用スロット
１７  第２可動枢軸
１８  連動用スロット
１９  第１可動枢軸
２０  連動リンク
２１  駆動アーム
２２  空洞部
２３  板バネ部材
２４  姿勢決定用肩部
２５  錠前ユニット
２６  ロータ
２７  止め金板
２８  錠止溝
２９  鍵孔
３１  第１鎖錠ロッド
３２  枢軸ピン
３４  第２鎖錠ロッド
３５  枢軸ピン
Ｌ    動作基準線
【図１】
2006063673.tif 000003
【図２】
2006063673.tif 000004
【図３】
2006063673.tif 000005
【図４】
2006063673.tif 000006
【図５】
2006063673.tif 000007